(57)【特許請求の範囲】
【請求項１】
理髪器具であって、取っ手（２０、３０）及び取っ手（２０、３０）と結合された多面状の切断手段（１０、４０）を備え、同多面状の切断手段（１０、４０）は複数の切刃（１３、４３）を備えた切断面（１１，４１）を有すると共に、前記切断手段はガラスからなり、前記切刃（１３，４３）は前記切断面（１１，４１）の長さ方向、幅方向及び深さ方向に渡って分布している器具。
【請求項２】
請求項１に記載の器具であって、切刃（１３、４３）が切断面（１１、４１）の長さ方向に渡って互いに異なる角度で配置されている器具。
【請求項３】
請求項１又は２項に記載の器具であって、切刃（１３、４３）が切断面（１１、４１）の幅方向に渡って互いに異なる角度で配置されている器具。
【請求項４】
請求項１乃至３のいずれか１項に記載の器具であって、切刃（１３、４３）が切断面（１１、４１）から同切断面（１１、４１）の長さ方法に渡って突出し、その突出量は互いに不揃いである器具。
【請求項５】
請求項１乃至４のいずれか１項に記載の器具であって、切刃（１３、４３）が切断面（１１、４１）の長さ方向及び幅方向に渡って不規則に配されている器具。
【請求項６】
請求項１乃至５のいずれか１項に記載の器具であって、切刃（１３、４３）が切断面（１１、４１）の長さ方向、幅方向及び奥行き方向に渡って不規則に配されている器具。
【請求項７】
請求項１乃至６のいずれか１項に記載の器具であって、多面状の切断手段（１０、４０）が少なくとも露出した端部を有し、同端部は粗加工されている器具。
【請求項８】
請求項７に記載の器具であって、前記粗加工された端部はガラス片を砕くことにより得られる器具。
【請求項９】
請求項１乃至８のいずれか１項に記載の器具であって、取っ手（２０、３０）が互いに取着された第１及び第２の材料を備えており、その間に切断手段（１０、４０）の非切断端部（１２、４２）が挟み込まれている器具。
【請求項１０】
請求項１乃至９のいずれか１項に記載の器具であって、切断手段（１０、４０）が取っ手（２０、３０）に接着または粘結されている器具。
【請求項１１】
請求項１乃至１０のいずれか１項に記載の器具であって、取っ手（２０、３０）が切断手段（１０、４０）の非切断端部（１２、４２）を受承するために設けられた溝（２１、３１）を有する材料を備える器具。
【請求項１２】
請求項１乃至１１のいずれか１項に記載の器具であって、取っ手（２０、３０）に対してヘアー・スタイリストが把持し易くするために１つ又は複数の窪み（２２、２３、２４、２５、２６）が設けられている器具。
【請求項１３】
請求項１１に記載の器具であって、取っ手全体に渡って溝（２２）が設けられている器具。
【請求項１４】
請求項１乃至１３のいずれか１項に記載の器具であって、取っ手（３０）が細長い取っ手であって、同取っ手の一方の端部に切断手段（４０）が装着されている器具。
【請求項１５】
請求項１乃至１３のいずれか１項に記載の器具であって、細長い取っ手（２０）を備え、同取っ手（２０）の長さ方向に渡って切断手段（１０）が設けられている器具。
【請求項１６】
請求項１乃至１５のいずれか１項に記載の器具であって、取っ手（２０）の一方の面がスタイリストの４指を、他方の面がスタイリストの親指を受承させるようにして、例えば櫛又はブラシのように、取っ手（２０）を４指と親指との間で挟むようにすることができる器具。
【請求項１７】
請求項１乃至１６のいずれか１項に記載の器具であって、取っ手には同器具の使用者の指が取っ手（２０、３０）から偶然に滑って、切断手段（１０、３０）に触れるのを防止するための手段を含む器具。
【請求項１８】
請求項１７に記載の器具であって、指が偶然に滑るのを防止するための手段は、切断手段（１０、４０）の上部に近接する取っ手（２０、３０）の下部の周囲において突出するリップ（２７）である器具。
【請求項１９】
請求項１乃至１８のいずれか１項に記載の器具であって、切断手段（１０、４０）の長さ及び幅の縮小又は拡大などの切断手段の寸法の調節により、異なったスタイリング効果が得られる器具。
【請求項２０】
請求項１〜１９のうちいずれか１項に記載の器具を用いた理髪の方法であって、頭髪を多様な角度及び長さにカットする方法。
【請求項２１】
請求項２０に記載の方法であって、櫛で顧客の頭部から頭髪を持ち上げ、切断手段（１０、４０）を頭髪に沿って引くことにより頭髪をカットする方法。
【請求項２２】
請求項２０又は２１に記載の方法であって、切断手段（１０、４０）が、同切断手段の切刃（１３、４３）を構成する不規則に砕いた端部（１１、４１）を有するガラス片を備える方法。
【請求項２３】
請求項２０乃至２２のいずれか１項に記載の方法であって、切断手段（１０、４０）を、ペン又は外科小刀を通常把持するように把持し、頭髪を彫刻する要領で使用することにより、顧客の頭髪を上手に調節することより成る方法。
【請求項２４】
請求項２０乃至２３のいずれか１項に記載の方法であって、多面状の切断手段（１０、４０）を使用し、カットする前に頭髪を引き上げてしわくちゃにするスクランチ・スタイリングを含む方法。
【請求項２５】
請求項２０乃至２４のいずれか１項に記載の方法であって、他のヘアー・スタイリングの方法と組み合わせることにより、カットする頭髪のスタイルに対して質感を与えることができる方法。
【発明の詳細な説明】
本発明は、理髪の器具及び方法に関する。
鋏又は剃刀などを用いた通常の理髪方法は、よく知られている。かかる方法では、直線的なカットが得られる一枚刃が用いられている。しかし、かかる直線的な刃を用いて髪型に質感及び柔らかさを与えることは困難な場合がある。
本発明の第一の態様によれば、理髪用の器具で、取っ手及び同取っ手に連結された多面状の切断手段を備える器具であって、かかる多面状の切断手段は多数の切刃を有している。
切刃は、切断面の長さ方向に渡って互いに異なった角度に配置されていることが望ましい。
切刃は、切断面の幅方向に渡って互いに異なった角度に配置されてよい。
切刃は、切断面の長さ方向及び幅方向に渡って不規則に配置されていることが望ましい。
好ましくは、かかる多面状の切断手段は、少なくとも粗状で未加工の露出した端部を有するガラスを備える。粗状で未加工の端部は、好ましくはガラス片を砕くことにより得られる。
器具に砕いたガラスを用いる利点は、器具の切断部に、同切断手段の長さ方向及び幅方向に渡って互いに異なる角度で不規則かつ無作為に配置された多くの切刃を好都合に設けられることにある。
本理髪器具を使用すると、直ちに質感の織りこまれたカットが得られ、理髪器具の１つの山形部分に接する頭髪が異なった長さにカットされることにより、より自然なカットが得られる。
取っ手は互いに取着された第１及び第２の材料を備えており、その間に切断手段の非切断端部が挟み込まれている。切断手段は、取っ手に接着または粘結されていてもよい。
取っ手は、木材又はプラスチック素材などの適切な材料より成る。
取っ手には、好ましくは、ヘアー・スタイリストが把持し易くするために、窪みが設けられている。
取っ手全体に渡って溝を設けてもよい。
好ましくは、異なる効果を得るために、該器具は異なった態様で実施されている。例えば、第１の実施の形態は、スタイリストがペン又は外科小刀を把持する要領で把持することができる精巧な器具より成る。同器具を用いることにより、髪型を上手に変えることができる。別の実施の形態には、取っ手を有する大きな器具に関し、その一方の面がスタイリストの４指を、他方の面がスタイリストの親指を受承させるようにして、例えば櫛又はブラシのように、取っ手を４指と親指の間で挟むようにすることができる。
取っ手には、その中に切断手段を受承するための溝を設けることができる。
取っ手には、器具の使用者の指が取っ手から偶然に滑って、切断手段に触れるのを防止するための手段を組み込んでもよい。同手段は、切断手段の上部に近接する取っ手の下部の周囲において突出するリップ又は棚状の部分を備えてもよい。
異なったスタイリング効果を得るために、異なった長さ及び幅の切断手段を設けてもよい。
本発明の第２の態様は理髪方法に関する。該方法は、複数の切刃を備えた多面状の切断手段を有する取っ手を含む理髪器具を使用することから成り、頭髪を多様な角度及び長さにおいてカットする。
好ましくは、切刃は切断面の長さ方向に渡って互いに異なる角度に配置される。
切刃は、切断面の幅方向に渡って互いに異なる角度に配置される。
切刃は、切断面の長さ方向及び幅方向に渡って不規則に配分される。
本方法は、頭髪を櫛で持ち上げて、切断手段を引くことにより頭髪をカットすることより成る。
好ましくは、切断手段は不規則に砕いた切刃を有するガラスを備え、かかる不揃いに砕いた端部が、同切断手段の切刃を構成する。
本方法は、ペン又は外科小刀を通常把持するように把持して、頭髪を彫刻する要領で器具を使用することにより、頭髪、長さ、及びスタイルを上手に調節することより成る。
本方法は、スクランチ・スタイリングを含んでもよく、同器具でカットする前に頭髪を引き上げ、しわくちゃにする。スクランチ・スタイリング用に同切断手段を使用する場合には、理髪器具により頭髪に伝えられた不揃いの切刃により、カット後の頭髪全体に質感が増加することによって型崩れしにくくなる。
本発明は、他のヘアー・スタイリングの方法と選択的に組み合わせることにより、カットする頭髪に対して質感を与えることができる。
本発明をよりよく理解し、本発明の実施の形態の実施効果を示すために、添付した図面を例示的に参照する。
図１は、理髪器具の第１の実施の形態の斜視図である。
図２乃至図６に示す理髪器具は、種々の異なった取っ手を有し、これらは図１に示す型の器具と一緒に用いることができる。
図７は、器具の別の実施の形態を示す
まず図１について説明する。器具は切断手段１０及び取っ手２０を備える。切断手段１０は、先端が不揃いな端部１１、及び、同切刃１１と接しないで取っ手２１の溝１２に嵌入されている端部１２（点で表示）を備えたガラス片から成る。端部１２は、何らかの方法で溝２１に接着又は粘結されるようにしてよい。
刃先が砕かれた端部１１は、長さ方向（X方向）、幅方向（Y方向）、深さ方向（Z方向）に渡って配置された多数の切刃１３（そのいくつかだけが符号１３で表示されている）を備えた多面状のカッターの一部を構成する。したがって、切刃は端部１１に渡って配置されているだけでなく、相互の関係を考慮することなく、ランダムな長さに突出している。
取っ手２０は、さらに、４指又は親指を受承し、器具を握り易くするための溝２２を備える。図示されていないが、取っ手２０の反対側にも対応する溝が設けられている。
図２乃至図６について説明する。図１の実施形態に対して種々の変更が示されている。図２乃至図６の実施の形態の特徴において、図１に示す実施の形態の特徴と同一のものについては説明を省略する。図３の実施の形態においては、取っ手２０の底辺部の周囲に、円周状に配されている盛り上がったリップ又は棚２７が示されている。この棚２７の目的は、スタイリストの指が取っ手２０から滑って、切断手段１０のガラスに触れるのを防止することにある。図４の実施の形態においては、棚に代えて取っ手２０の一側に窪み２３を形成し、同窪み２３によりスタイリストの親指を受承する点が異なる。同様に、図４において、実施の形態は、スタイリストの４指又は親指を受承する窪み２４、２５、２６を有する取っ手２０を示している。同様な窪みを、図５に示されていない取っ手２の反対側に設けてもよいことが理解される。
図６の実施の形態は、図５の実施の形態に大幅に類似するが、わずかに形の異なる取っ手を有する。
図７は比較的細長い取っ手部分２０及び比較的短い砕かれたガラス片４０を備える、異なる形態の該器具を示す。ガラス片４０には不揃いな端部４１（いくつもの点でその他の実施の形態の端部１１に類似する）及び、端部４１から離れた端部４２を有しており、端部４２及び同端部４２に隣接するガラス４０の領域は、取っ手３０に固定されている。取っ手３０は、図７の器具を外科小刀と同様なしかたで使用できる形状を成している。対照的に、図１乃至図６の実施の形態における器具は、櫛又はブラシと同様な方法で把持される。したがって、図７の器具はとくに精密な作業に適しており、図１乃至図６における器具はより大まかな作業に適していると理解される。
本器具の種々の実施の形態を説明した。器具の一般的使用法及び従来の方法に比して有利な点を以下に説明する。
前記したように、図１乃至図６に示した実施の形態における器具は、使用時に櫛又はブラシのように把持される。
本器具は、従来のスタイリング技術と共に使用することができる。例えば、櫛を一方の手に持ち、本器具を他方の手で用いることにより、櫛で長さの異なる頭髪を持ち上げ、器具を用いて頭髪をカットする。本器具は、またいわゆるスクランチ・スタイリングにおいても使用できる。
砕いたガラスを用いて頭髪をカットすることはやや奇異にみえるが、これは完全に安全に行うことができ、ヘアー・スタイリストが使用できる１つの追加的道具であるにすぎない。図７に示す器具は、例えば剃刀を使用するごとく、精密な変化をつけるのに用いることができる。
本器具を使用する利点は、切刃の多面状の性質によりカットする頭髪に従来よりも多くのカッティング・アングルを付け、さらに全体により柔らかさと質感を与えることである。スクランチ・スタイリングに使用する際には、カットした頭髪全体に質感が増大するために、頭髪が長持ちする。同時に、本器具は、器具の端部に沿った各ガラス片が頭髪に異なった質感を与えることにより、スパイキー・ヘアー・スタイル又は質感のかかったカットを作り出すのに非常に優れていることがわかっている。本器具を用いて創り出されるあらゆるヘアー・スタイルは独特で、１回のヘアー・カットにおいて多様なガラス片を組み合わて使用することにより、複数の質感を有するカットを生み出すことができる。
本願発明者は、ムース又はヘアスプレーなどの製品を頭髪に用いて頭髪をまとめることを好まない人のために「ガラス・カット法」を非常に優れた方法であると考える。本器具により得られる質感及びカッティング・アングルは、それ自体で頭髪に盛り上がりを与える傾向がある。同様に、頭皮の状態などの医学的状態によりスタイリング製品を使用できない人にとっても、ガラス・カット法は有益である。
カットの性質上、頭髪の量が多い人の場合には、ガラス・カット法は、人工的な外観を与えることなく頭髪を自然に薄くする方法である。また、複数の多様なガラスのカッティング・アングルにより、頭髪を上からも下からもカットすることができる。
要約すると、本発明の利点は、一枚刃の代わりに多数の切刃が１つの道具に結合されている事実にある。とくに、器具の切刃の長さ方向に渡って（及び幅方向に渡って、より少ない程度に）配された多数の切刃により、質感を加味する特に効果的なカットが得られる。
以上に説明した実施の形態では、切刃に砕いたガラス片を利用しているが、その他の材料の利用を構想することも可能である。しかし、ガラスは砕き易く、さまざまに異なるサイズにおいて用いることができるので特に効果的であり、さらに、割れる際の性質により自然と不揃いな切刃が集められるために特に好ましい。
【図１】
0004231557.tif 000002
【図２】
0004231557.tif 000003
【図３】
0004231557.tif 000004
【図４】
0004231557.tif 000005
【図５】
0004231557.tif 000006
【図６】
0004231557.tif 000007
【図７】
0004231557.tif 000008